(57)【要約】【解決手段】靴下類等のための円形編機は、垂直軸(1a)と、その側面に複数の軸スロット(2) とを有する少なくとも１つのニードルシリンダ(1) を備え、各軸スロットは針(6)と針(6) を作動させるための要素(10)を収容する。作動要素(10)は少なくとも１つの接続要素(4) 及びセレクタ(5) を含む。接続要素(4) は、ニードルシリンダ(1)のラジアル面での接続要素(4) の揺動を介して軸スロット(2) からラジアル方向に引抜かれることが可能な移動可能なヒール(4a)を有し、セレクタ(5)は、軸スロット(2) の底部と接続要素(4) との間の、編機の動作の間、接続要素(4) が取り得る任意の位置で、部分(14)で突出する。セレクタ(5)は、接続要素(4) の揺動を生み出し、ニードルシリンダ(1) の側面に面する接続要素作動カムとの係合を達成するように、軸スロット(2) からその移動可能なヒール(4a)を引抜くために、ニードルシリンダ(1) のラジアル面で指令により揺動可能である。
2009531557.tif 000002
【特許請求の範囲】
【請求項１】
垂直軸と、その側面に、針と針作動要素とを夫々収容する複数の軸スロットとを有する少なくとも１つのニードルシリンダを備える靴下類等のための円形編機において、
前記作動要素が、
−ニードルシリンダの外部へ向いたその側部に少なくとも１つの移動可能なヒールを有する少なくとも１つの接続要素であり、ニードルシリンダの側面に面して、作動位置で、接続要素を作動させるための対応するカムに対するニードルシリンダの自軸回りの回転動作の結果として、前記移動可能なヒールがたどり得る経路を定める前記接続要素作動カムと係合するために、前記移動可能なヒールがニードルシリンダの対応する軸スロットからラジアル方向に突出する前記作動位置から、前記接続要素作動カムと係合しないように、前記移動可能なヒールがニードルシリンダの前記軸スロットに収容される非作動位置への、及びその逆への前記移動可能なヒールの移動のために、ニードルシリンダのラジアル面で揺動可能である前記接続要素と
−前記接続要素と該接続要素が収容されるニードルシリンダの軸スロットの底部との間に、編機の動作の間、前記接続要素が取り得る任意の位置で突出する部分を有し、接続要素の前記移動可能なヒールを前記非作動位置から前記作動位置へ移動させるために、ニードルシリンダのラジアル面で揺動可能であるセレクタと
を備えることを特徴とする編機。
【請求項２】
前記接続要素作動カムは、ニードルシリンダの軸に垂直な理想面に対して傾斜した外形の部分を有し、作動位置で前記移動可能なヒールによって係合可能な少なくとも１つの引抜きカム又は１つの引込みカムを含み、引抜きカム又は引込みカムの前記部分に、ニードルシリンダの側面に面し、前記セレクタによって、引抜きカム又は引込みカムの前記部分の略延長部全体沿って前記作動位置に接続要素の前記移動可能なヒールを維持するために、前記接続要素に作用する引抜き要素を備えることを特徴とする請求項１に記載の編機。
【請求項３】
前記引抜き要素は、ニードルシリンダの側面に面し、接続要素の前記移動可能なヒールの作動位置に相当する位置に、セレクタを移動又は保持するために前記セレクタと係合可能である少なくとも１つのプレッサを有することを特徴とする請求項１又は２に記載の編機。
【請求項４】
前記プレッサは、プレッサが前記セレクタに干渉する作動位置から、プレッサが前記セレクタに干渉しない非作動化位置へ通過するために、ニードルシリンダに対して指令により移動可能であることを特徴とする請求項１乃至３のいずれかに記載の編機。
【請求項５】
前記接続要素は、前記ラジアル面に垂直な回転軸回りに、針の先端又はヘッドの反対側に位置する針の長手方向端部に枢支され、前記接続要素は、前記移動可能なヒールの前記作動位置から前記非作動位置への、又はその逆への移動のために、前記針に対して前記回転軸回りに揺動可能であることを特徴とする請求項１乃至４のいずれかに記載の編機。
【請求項６】
前記針は、その長手方向延長部の中間領域に、固定ヒールを有し、該固定ヒールは、ニードルシリンダの対応する軸スロットからラジアル方向に突出し、ニードルシリンダの側面に面し、ニードル作動カムに対するニードルシリンダの自軸回りの回転動作の結果として、前記固定ヒールがたどり得る経路を定める前記ニードル作動カムと係合可能であることを特徴とする請求項１乃至５のいずれかに記載の編機。
【請求項７】
前記針作動要素は、ニードルシリンダの同一の軸スロットに配置された前記接続要素と針との間に配置された中間要素を含み、前記接続要素は、前記ラジアル面に垂直な回転軸回りに、前記中間要素に枢支され、前記接続要素は、前記移動可能なヒールの前記作動位置から前記非作動位置への、又はその逆への通過のために、前記中間要素に対して、前記回転軸回りに揺動可能であることを特徴とする請求項１乃至４のいずれかに記載の編機。
【請求項８】
前記接続要素は、その長手方向端部の内の一方で、前記ラジアル面に垂直な回転軸回りに、前記中間要素の、針と係合可能な端部の反対側に位置する長手方向端部に枢支されていることを特徴とする請求項１乃至７のいずれかに記載の編機。
【請求項９】
前記針又は中間要素と前記接続要素との間の枢支は、針又は中間要素が収容されるニードルシリンダの軸スロットの底部から離れる方向に向かう前記針又は前記中間要素の側部に位置する突部と、該突部を回転可能に収容し、前記接続要素に形成されている座部とによって構成されることを特徴とする請求項１乃至８のいずれかに記載の編機。
【請求項１０】
前記接続要素は、前記針又は前記中間要素に接続されたその端部に、ニードルシリンダの外部に向けてラジアル方向に突出する第２ヒールを有することを特徴とする請求項１乃至９のいずれかに記載の編機。
【請求項１１】
下部ニードルシリンダと、該下部ニードルシリンダより上方で、前記下部ニードルシリンダと同軸上に配置された上部ニードルシリンダとを備えるダブルシリンダ編機によって構成され、相互に一列に並んだ複数の軸スロットが、下部ニードルシリンダの側面及び上部ニードルシリンダの側面に形成されて、針作動要素が、下部ニードルシリンダ及び上部ニードルシリンダの各軸スロットに収容されており、前記針作動要素は、下部ニードルシリンダに関して、少なくとも
−前記中間要素を構成し、その長手方向端部の内の一方に隣接して、針のヘッドと係合する手段を有するスライダと
−前記スライダの、針と係合可能な端部の反対側に位置する長手方向端部に枢支される前記接続要素と
−前記接続要素と該接続要素が収容されるニードルシリンダの軸スロットの底部との間に、編機の動作の間、前記接続要素が取り得る任意の位置で突出する部分を有し、接続要素の前記移動可能なヒールを前記非作動位置から前記作動位置へ移動させるために、ニードルシリンダのラジアル面で揺動可能である前記セレクタと
を備えることを特徴とする請求項１乃至１０のいずれかに記載の編機。
【請求項１２】
前記スライダは、その長手方向延長部の中間領域に、固定ヒールを有し、該固定ヒールは、ニードルシリンダの対応する軸スロットからラジアル方向に突出し、ニードルシリンダの側面に面し、スライダ作動カムに対するニードルシリンダの自軸回りの回転動作の結果として、前記固定ヒールがたどり得る経路を定める前記スライダ作動カムと係合可能であることを特徴とする請求項１乃至１１のいずれかに記載の編機。
【請求項１３】
上部ニードルシリンダに配置された針の作動要素は、更に固定ヒールと、移動可能なヒールとを有し、該移動可能なヒールは、対応する作動カムと係合するように、ヒールが上部ニードルシリンダの対応する軸スロットからラジアル方向に突出する作動位置から、前記対応する作動カムと係合しないように、ヒールが上部ニードルシリンダの対応する軸スロット内に収容される非作動位置へ、及びその逆へ指令により移動可能であることを特徴とする請求項１乃至１２のいずれかに記載の編機。
【請求項１４】
上部ニードルシリンダの軸スロットに配置された針の作動要素は、下部ニードルシリンダの軸スロットに配置された針の作動要素と略同様に備えられていることを特徴とする請求項１乃至１３のいずれかに記載の編機。
【請求項１５】
前記スライダは、前記接続要素に接続された長手方向端部の反対側に位置するその長手方向端部による、針のヘッドの係合又は針のヘッドの解放のために、ニードルシリンダのラジアル面で揺動可能であることを特徴とする請求項１乃至１４のいずれかに記載の編機。
【請求項１６】
前記第２ヒールは、針の方に向いたその長手方向端部を、スライダが収容されるニードルシリンダの軸スロットの底部から離れて移動させる方向に、前記ラジアル面での前記スライダの揺動を生み出すために、軸スロットの底部へ向けて押されることが可能であることを特徴とする請求項１乃至１５のいずれかに記載の編機。
【請求項１７】
前記セレクタは、セレクタが収容される軸スロットの底部と前記接続要素との間に介在するその部分から間隔を置いて配置されるその長手方向延長部の領域に、セレクタの揺動を引き起こし、その結果、接続要素の前記移動可能なヒールの非作動位置から作動位置への移動を引き起こすために、軸スロットの底部に向けて押されることが可能な少なくとも１つの領域を有することを特徴とする請求項１乃至１６のいずれかに記載の編機。
【請求項１８】
前記プレッサは、接続要素の前記移動可能なヒールの作動位置に相当する位置へセレクタを移動させるために、前記セレクタに対して前記プレッサの介入を作動させる少なくとも１つの選択装置に接続されていることを特徴とする請求項１乃至１７のいずれかに記載の編機。
【請求項１９】
前記少なくとも１つの選択装置が、針毎に選択するように、つまり前記プレッサによって前記セレクタを互いに独立して作動させるようになしてあることを特徴とする請求項１乃至１８のいずれかに記載の編機。
【請求項２０】
ニードルシリンダに横方向に面し、ニードルシリンダの前記ラジアル面で前記スライダ及び／又は前記接続要素を揺動させるために、接続要素の前記ヒールと係合可能な固定プレッサを備えることを特徴とする請求項１乃至１９のいずれかに記載の編機。
【請求項２１】
編機のニードルシリンダの側面に形成された軸スロットの１つに、作動されるべき針と共に収容されることを意図された、靴下類等のための円形編機のための針作動要素において、
−ニードルシリンダの外部へ向くように意図されたその側部に少なくとも１つの移動可能なヒールを有する少なくとも１つの接続要素であり、ニードルシリンダの側面に面して、作動位置で、接続要素の対応する作動カムに対するニードルシリンダの自軸回りの回転動作の結果として、前記移動可能なヒールがたどり得る経路を定める前記接続要素作動カムと係合するために、前記移動可能なヒールがニードルシリンダの対応する軸スロットからラジアル方向に突出する前記作動位置から、前記接続要素作動カムと係合しないように、前記移動可能なヒールがニードルシリンダの前記軸スロットに収容される非作動位置への、及びその逆への前記移動可能なヒールの移動のために、ニードルシリンダのラジアル面で揺動可能である前記接続要素と
−前記接続要素と該接続要素が収容されるニードルシリンダの軸スロットの底部との間に、編機の動作の間、前記接続要素が取り得る任意の位置で突出するように意図された部分を有し、接続要素の前記移動可能なヒールを前記非作動位置から前記作動位置へ移動させるために、ニードルシリンダのラジアル面で揺動可能であるセレクタと
を備えることを特徴とする作動要素。
【請求項２２】
前記接続要素は、前記ラジアル面に垂直な回転軸回りに、針の先端又はヘッドの反対側に位置する針の長手方向端部に枢支され、前記接続要素は、前記移動可能なヒールの前記作動位置から前記非作動位置への、又はその逆への移動のために、前記針に対して前記回転軸回りに揺動可能であることを特徴とする請求項２１に記載の作動要素。
【請求項２３】
前記針作動要素は、ニードルシリンダの同一の軸スロットに配置されるように意図された前記接続要素と針との間に配置された中間要素を含み、前記接続要素は、前記ラジアル面に垂直な回転軸回りに、前記中間要素に枢支され、前記接続要素は、前記移動可能なヒールの前記作動位置から前記非作動位置への、又はその逆への移動のために、前記中間要素に対して、前記回転軸回りに揺動可能であることを特徴とする請求項２１に記載の作動要素。
【請求項２４】
前記針又は中間要素と前記接続要素との間の枢支は、針又は中間要素が収容されるべきニードルシリンダの軸スロットの底部の方に向かうように意図された側部から離れる方向に向かう前記針又は前記中間要素の側部に位置する突部と、該突部を回転可能に収容し、前記接続要素に形成されている座部とによって構成されることを特徴とする請求項２１乃至２３のいずれかに記載の作動要素。
【請求項２５】
前記接続要素は、前記針又は前記中間要素に接続されたその端部に、それが収容されるべきニードルシリンダの軸スロットから突出するように意図された第２ヒールを有することを特徴とする請求項２１乃至２４のいずれかに記載の作動要素。
【請求項２６】
請求項１乃至２５のいずれかに係る、靴下類のためのダブルシリンダ円形編機のための針作動要素において、前記中間要素が、その長手方向端部の内の一方に隣接して、針のヘッドと係合する手段を有するスライダによって構成され、前記接続要素が、前記スライダの、針と係合可能な端部の反対側に位置する長手方向端部に対して回転することを特徴とする作動要素。
【請求項２７】
前記スライダは、その長手方向延長部の中間領域に、スライダが収容されるように意図されたニードルシリンダの軸スロットからラジアル方向に突出するように意図された固定ヒールを有し、該固定ヒールは、ニードルシリンダの側面に面し、スライダ作動カムに対するニードルシリンダの自軸回りの回転動作の結果として、前記固定ヒールがたどり得る経路を定める前記スライダ作動カムと係合するように意図されていることを特徴とする請求項２６に記載の作動要素。
【請求項２８】
前記スライダは、前記接続要素に接続された長手方向端部の反対側に位置するその長手方向端部による、針のヘッドの係合又は針のヘッドの解放のために、ニードルシリンダのラジアル面で揺動可能であることを特徴とする請求項２６又は２７に記載の作動要素。
【請求項２９】
前記第２ヒールは、針の方に向いたその長手方向端部を、スライダが収容されるべきニードルシリンダの軸スロットの底部から離れて移動させる方向に、前記ラジアル面で前記スライダを揺動させるために、それが収容されるべきニードルシリンダの軸スロットの底部へ向けて押されることが可能であることを特徴とする請求項２６乃至２８のいずれかに記載の作動要素。
【請求項３０】
前記セレクタは、セレクタが収容されるべきニードルシリンダの軸スロットの底部と前記接続要素との間に介在するように意図されたその部分から間隔を置いて配置されるその長手方向延長部の領域に、セレクタの揺動を引き起こし、その結果、接続要素の前記移動可能なヒールの非作動位置から作動位置への通過を引き起こすために、軸スロットの底部に向けて押されることが可能な少なくとも１つの領域を有することを特徴とする請求項２６乃至２９のいずれかに記載の作動要素。
【発明の詳細な説明】
【技術分野】
【０００１】
本発明は、靴下類等のための円形編機に関する。
【背景技術】
【０００２】
靴下類等のためのシングルシリンダ円形編機及びダブルシリンダ円形編機は公知である。
【０００３】
シングルシリンダ円形編機は、垂直軸を有するニードルシリンダを実質上備え、その側面には複数の軸スロットがあり、各軸スロットは、編地を形成するために対応する軸スロットに沿って交替動作で作動可能な針を収容する。針は、ニードルシリンダの対応する軸スロットからラジアル方向に突出するヒールを一般に有しており、針は、複数のニードル作動カムを備えることにより作動され、ニードル作動カムは、ニードルシリンダの周りに配置されて、全体として上がり部分、パーキング部分又は水平部分、及び下がり部分で形作られる、ニードルシリンダがニードル作動カムに対して自軸回りの回転動作で作動されるとき、その後針のヒールがたどり得る経路を定める。
【０００４】
靴下類のためのダブルシリンダ円形編機は、垂直軸を有する下部ニードルシリンダと、下部ニードルシリンダより上方で、下部ニードルシリンダと同軸上に配置された上部ニードルシリンダとを一般に備え、このようなシリンダは、共通軸回りの回転動作で互いに固定して作動可能である。
【０００５】
複数の軸スロットは、下部ニードルシリンダの側面及び上部ニードルシリンダの側面に形成されている。上部ニードルシリンダの軸スロットは、下部ニードルシリンダの軸スロットと一列に並んでいる。スライダが、下部ニードルシリンダの各軸スロットと、上部ニードルシリンダの各軸スロットとに収容されている。２つのニードルシリンダ間には、つまり編成領域には、各軸スロットに、２つの先端又は夫々上ヘッド及び下ヘッドである２つのヘッドを有する針があり、そのような針は、平編を提供したいか又はパール編を提供したいかどうかに応じて、その上端で編成するように下部ニードルシリンダ内に移動するか、又はその下端で編成するように上部ニードルシリンダ内に移動する。
【０００６】
針がヒールを備えていないので、針は、平編を形成する必要があるか又はパール編を形成する必要があるかどうかに応じて、下部ニードルシリンダに配置されたスライダ、又は上部ニードルシリンダに配置されたスライダによって、作動される。
【０００７】
靴下類のためのダブルシリンダ円形編機で現在用いられているスライダは、細長い薄板体によって一般に構成され、下部ニードルシリンダの側面又は上部ニードルシリンダの側面に形成された軸スロットの底部上にあることを意図された第１長手側部を有する。
【０００８】
このようなスライダは更に２つのヒールを有し、ヒールは、スライダの長手方向延長部に沿って相互に間隔を置いて配置され、第１長手側部の反対側に位置するスライダの第２長手側部から横方向に突出する。
【０００９】
これらのヒールは、下部ニードルシリンダ又は上部ニードルシリンダの対応する軸スロットに沿ったスライダの移動を生み出し、それによって編機の様々なタイプの編成で前記スライダに関連した針の動作を引き起こすように、又は１つのニードルシリンダから別のニードルシリンダに針を移すように、用いられる。
【００１０】
スライダは、その第１長手側部に、つまりスライダが収容される軸スロットの底部の方に向いたその側部に、更にフック状のタブを有し、タブは、スライダが下部ニードルシリンダにあるか又は上部ニードルシリンダにあるかどうかに応じて、針の下ヘッド又は上ヘッドと係合する。
【００１１】
下部ニードルシリンダの側面の周り、及び上部ニードルシリンダの側面の周りには、複数のスライダ作動カムがあり、ニードルシリンダが前記カムに対して自軸回りの回転動作で作動されるとき、スライダのヒールが係合する一連の経路を定める。カムによって定められた経路は、スライダが収容されるニードルシリンダの軸スロットに沿ったスライダの移動を引き起こし、結果的にスライダに関連した針の動作を引き起こすように形作られている。
【００１２】
各針の動作を変えて、それにより針が生み出す編成のタイプを変えるために、そのヒール、つまり対応する作動カムの１つの経路から別の経路に針を作動させるスライダのヒールを移動させることが必要であり、これは、各軸スロットの内部で、シングルシリンダ円形編機の針の下方、又はダブルシリンダ円形編機の下部ニードルシリンダのスライダの下方に、サブ針又はセレクタを備えることにより一般に達成され、サブ針又はセレクタは、シングルシリンダ円形編機のニードルシリンダ、又はダブルシリンダ円形編機の下部ニードルシリンダの側面の周りに配置されたセレクタ作動カムと係合するために、ニードルシリンダの側面からラジアル方向に突出することができる１又は複数のヒールを有する。
【００１３】
セレクタは、セレクタ作動カムと係合するように、ニードルシリンダ又は下部ニードルシリンダの対応する軸スロットからそれらのヒールの内の少なくとも１つが突出する作動位置から、セレクタ作動カムと係合しないように、対応する軸スロット内にセレクタがそれらの一又は複数のヒールがはめ込まれる非作動位置に、又はその逆に通過するために、セレクタが位置するニードルシリンダのラジアル面で一般に揺動可能である。
【００１４】
セレクタ作動カムは、上がり部分及び下がり部分を有し、セレクタ作動カムに対するニードルシリンダの自軸回りの回転の結果として、セレクタのヒールがセレクタ作動カムと係合するとき、上に位置する針又はスライダの上り移動を引き起こして、その直接作動、又は、ニードル作動カム又はスライダ作動カムによって定められた経路の内の１つの経路から別の経路へのそのヒールの移動を生み出すか、又は、ニードル作動カム又はスライダ作動カムによって通常引き起こされる針又はスライダの下がり移動を可能にする。
【００１５】
作動位置から非作動位置へのセレクタの通過は、編機のニードルシリンダに横方向に面し、セレクタによって針の動作を変えることができ、それ故生み出され得る編成を変えることができる選択装置によって作動される。
【００１６】
現在市販している円形編機では、セレクタの介在は、選択装置及びセレクタ作動カムによって、針又はスライダのヒールがたどる経路の変形を引き起こすために、セレクタと同一の軸スロット内にある針又はスライダとが相互に配置されているある状態でのみ生じることができ、これは、一組の針又はスライダの作動カム及びセレクタの設計において厳しい制約及び制限を課する。
【００１７】
現在市販している円形編機では、これらの制限を克服し、多くの場合、ニードル作動カム間及びスライダ作動カム間で編機の操作可能性を増すために、追加のカムもあり、追加のカムは、針又はスライダのヒールによって係合されるためにニードルシリンダに接近する作動位置から、追加のカムが、針又はスライダのヒールに干渉しないようにニードルシリンダから間隔が置かれる非作動位置に、及びその逆に通過するように、カムボックスとして公知であるそれらを支持する固定要素に対して、指令によりニードルシリンダに対してラジアル方向に移動可能である。
【００１８】
様々な種類の編成を生み出すために必要であるこれらの移動可能なカム及び対応するアクチュエータの存在により、編機全体の構造の複雑さを著しく増加させるという問題が生じる。
【００１９】
更に、これら移動可能なカムの存在により、編機に搭載され、適切に準備された作動プログラムの供給を余儀なくされ、電源供給の不足による編機の不測の停止が生じて、編成が再開される前に、移動可能なカムを正確な位置に戻す場合に、編機がまず移動可能なカムの正確な位置に戻されることなく再開すると、針又はスライダのヒールが壊れるかもしれないので、プログラムが介入する。
【００２０】
実際、これら移動可能なカムの存在は、電源供給が中断された場合、移動可能なカムの位置を格納する電子プログラムを編機に供給することを必要とし、これは、編機の製造での一層の複雑化を引き起こす。
【特許文献１】国際公開第０２／０４２５３６号パンフレット
【発明の開示】
【発明が解決しようとする課題】
【００２１】
本発明の意図は、針又はスライダの作動のための限られた数の移動可能なカムで、又は全く移動可能なカムなしで正確に動作することができる靴下類等のための円形編機を提供することにより、上述された問題を解決することである。
【００２２】
この意図の範囲内で、本発明の目的は、一組のニードル作動カム又はスライダ作動カムが公知のタイプの編機に関して著しく単純化される編機を提供することである。
【００２３】
本発明の別の目的は、ニードル作動カム又はスライダ作動カムの単純化にもかかわらず、従来のタイプの靴下類等のための円形編機で通常のタイプの編成を今までどおり行なうことが可能な編機を提供することである。
【課題を解決するための手段】
【００２４】
この意図、並びにこれらの目的及び以下に明らかとなるその他の目的は、垂直軸と、その側面に、針と針作動要素とを夫々収容する複数の軸スロットとを有する少なくとも１つのニードルシリンダを備える靴下類等のための円形編機において、
前記作動要素が、
−ニードルシリンダの外部へ向いたその側部に少なくとも１つの移動可能なヒールを有する少なくとも１つの接続要素であり、ニードルシリンダの側面に面して、作動位置で、接続要素を作動させるための対応するカムに対するニードルシリンダの自軸回りの回転動作の結果として、前記移動可能なヒールがたどり得る経路を定める前記接続要素作動カムと係合するために、前記移動可能なヒールがニードルシリンダの対応する軸スロットからラジアル方向に突出する前記作動位置から、前記接続要素作動カムと係合しないように、前記移動可能なヒールがニードルシリンダの前記軸スロットに収容される非作動位置への、及びその逆への前記移動可能なヒールの移動のために、ニードルシリンダのラジアル面で揺動可能である前記接続要素と
−前記接続要素と該接続要素が収容されるニードルシリンダの軸スロットの底部との間に、編機の動作の間、前記接続要素が取り得る任意の位置で突出する部分を有し、接続要素の前記移動可能なヒールを前記非作動位置から前記作動位置へ移動させるために、ニードルシリンダのラジアル面で揺動可能であるセレクタと
を備えることを特徴とする編機によって達成される。
【００２５】
本発明の更なる特徴及び利点は、添付図面の非限定例で示した本発明に係る編機の２つの好ましいが排他的でない実施形態の説明からより理解できる。
【発明を実施するための最良の形態】
【００２６】
靴下類のためのシングルシリンダ円形編機を参照する図１及び２に示された第１実施形態に関して、本発明に係る編機は、垂直軸101aとその側面に複数の軸スロット102 とを有するニードルシリンダ101 を備え、各軸スロットは針106 と針106 のための作動要素110 とを収容する。
【００２７】
本発明によれば、作動要素110 は少なくとも１つの接続要素104 を含み、接続要素は、ニードルシリンダ101 の外部に向いたその側部に、少なくとも１つの移動可能なヒール104aを有する。接続要素104 は、ニードルシリンダ101 のラジアル面で揺動可能であり、それ故、図２に示された、移動可能なヒール104aがニードルシリンダ101 の対応する軸スロット102 からラジアル方向に突出することにより、ニードルシリンダ101 の側面に面して、作動位置での、接続要素の作動カムに対するニードルシリンダ101 の自軸101a回りの回転動作の結果として、移動可能なヒール104aがたどり得る経路を定める対応する接続要素作動カムと係合する作動位置から、図１に示された、移動可能なヒール104aがニードルシリンダ101 の軸スロット102 に収容されることにより、接続要素の作動カムと係合しない非作動位置への、及びその逆への移動可能なヒール104aの移動を引き起こす。
【００２８】
作動要素110 は、更にセレクタ105 を含み、セレクタは、細長い薄板体を有し、接続要素104 と接続要素が収容されるニードルシリンダ101 の軸スロット102 の底部との間に、セレクタ105 によって常に接続要素104 に作用することが可能であるように、編機の動作の間、接続要素104 が取り得る任意の位置で突出する部分114 を有する。セレクタ105 は、ニードルシリンダ101 のラジアル面で揺動可能であり、接続要素104 の移動可能なヒール104aの非作動位置から作動位置への移動を生み出す揺動の方向での接続要素104 の揺動を引き起こす。
【００２９】
接続要素104 は、細長い薄板体を有し、針106 の先端又はヘッドの反対側に位置する針106 の長手方向端部に接続されている。
【００３０】
好ましくは、接続要素104 は、回転軸111 回りに針106 に枢支されて、回転軸は、ラジアル面に、つまり軸スロット102 に挿入される接続要素104 の配置面に垂直である。接続要素104 は、針106 に対して前記回転軸111 回りに揺動可能であるので、移動可能なヒール104aの作動位置から非作動位置への、又はその逆への移動を生み出す。
【００３１】
針106 は、その長手方向延長部の中間領域に、ニードルシリンダ101 の対応する軸スロット102 からラジアル方向に突出し、ニードル作動カムと係合することができる固定ヒール103aを有し、ニードル作動カムは、ニードルシリンダ101 の側面に面し、ニードル作動カムに対するニードルシリンダ101 の自軸101a回りの回転動作の結果として、固定ヒール103aがたどり得る経路を定める。
【００３２】
接続要素作動カム及びニードル作動カムの１つの可能な実施形態は、以下に説明される。
【００３３】
図１及び２に示された実施形態では、接続要素104 は、針106 に直接枢支されるが、代案として、ニードルシリンダ101 の同一の軸スロット102 に配置された接続要素104 と針106 との間に配置された中間要素に枢支されてもよい。この場合、中間要素は、針106 に接続されてもよく、好ましくは、ニードルシリンダ101 の軸101aと平行な交替移動を針106 に伝えるように相互接続で接続されてもよい。この場合、接続要素104 は、ラジアル面に垂直な回転軸回りに中間要素に枢支されることにより、移動可能なヒール104aの作動位置から非作動位置への、又はその逆への移動のために、中間要素に対して前記回転軸回りに揺動可能である。
【００３４】
接続要素104 は、その長手方向端部に隣接する回転軸111 回りに針106 又は中間要素に枢支されて、移動可能なヒール104aは、接続要素104 の反対側の長手方向端部に隣接して位置する。
【００３５】
接続要素104 と針106 又は中間要素との間の枢支は、好ましくは、針又は中間要素が収容される軸スロット102 の底部に対して反対方向に向いた針106 又は中間要素の側部に突出する突部112 と、針又は中間要素が軸111 回りに回転可能に突部112 を収容すべく、接続要素104 に形成された座部113 とによって構成される。
【００３６】
このようにして、相互接続は、針106 又は中間要素と接続要素104 との間で、対応する作動カムとの針106 、中間要素、又は接続要素104 の係合によって生み出された、軸スロット102 に沿った針106 又は中間要素と接続要素104 とのスライド移動で確立される。
【００３７】
好ましくは接続要素104 は、針106 又は中間要素に接続されたその端部に、ニードルシリンダ101 の外部に向いてラジアル方向に突出する第２ヒール104bを有する。この第２ヒール104bは、ニードルシリンダ101 の側面から常に突出し、特定の場合には、針106 、任意の中間要素及び接続要素104 によって構成された組立体の把持要素として、編機の保守の間に組立体を交換するために用いることができる。
【００３８】
靴下類のためのダブルシリンダ円形編機を参照する、図３乃至９に示された第２実施形態に関して、本発明に係る編機は、垂直軸1aを有する下部ニードルシリンダ１と、下部ニードルシリンダ１より上方で、下部ニードルシリンダと同軸上に配置された上部ニードルシリンダ42とを備える。相互に一列に並んだ複数の軸スロット2,43は、下部ニードルシリンダ１の側面及び上部ニードルシリンダ42の側面に形成されている。針６のための作動要素10,10'は、下部ニードルシリンダ１及び上部ニードルシリンダ42の各軸スロット2,43に収容されており、ダブルヘッド又は先端を有する針６は、ニードルシリンダ1,42の内の一方に、ニードルシリンダ1,42の相互に面する軸方向端部に隣接して配置されている。
【００３９】
以下に「下部作動要素」として参照される下部ニードルシリンダ１に配置された作動要素10は少なくとも、その長手方向端部の内の一方に隣接して、針６のヘッドと係合する手段を有するスライダ３と、接続要素104 と同様に、スライダ３の、針６と係合可能な端部の反対側に位置する長手方向端部に対して回転する接続要素４とを含む。
【００４０】
実質上、スライダ３は、本発明に係る編機の第１実施形態で上記に検討された中間要素に概念的に例えることができる。
【００４１】
下部作動要素10は、以下に詳述されるように、接続要素４の移動可能なヒール4aの非作動位置から作動位置への移動を生み出す揺動の方向に、スライダ３に対する接続要素４の揺動を引き起こすために、ニードルシリンダ１のラジアル面で揺動可能なセレクタ５を、接続要素４の下方に含む。
【００４２】
針６のための対応する作動要素10' すなわち上部作動要素は、前記針が上部ニードルシリンダ42に配置されるとき、上部ニードルシリンダ42の各軸スロット43内に収容される。好ましくは前記上部作動要素10' は、底部から上方に、スライダ3'、接続要素4'及びセレクタ5'を含み、これらは、好ましくは下部ニードルシリンダ１に関して以下に説明される要素と同様に備えられる。上部ニードルシリンダ42は、上記に挙げられた軸スロット及びそこに収容される要素に関して、下部ニードルシリンダ１と略同様に、しかし反転された位置に備えられる。この理由により、図３及び４では、上部ニードルシリンダ42は部分的にのみ示されている。
【００４３】
針６は、２つの先端又は夫々下ヘッド6a及び上ヘッド6a' である２つのヘッド6a,6a'を含み、平編を提供したいか又はパール編を提供したいかどうかに応じて、針がその上端6a' で編成するように下部ニードルシリンダ１に移されるか、又はその下端6aで編成するように上部ニードルシリンダ42に移される。
【００４４】
針６がヒールを備えていないので、針は、平編を形成すべきであるか又はパール編を形成すべきであるかどうかに応じて、下部作動要素10又は上部作動要素10' によって作動される。
【００４５】
本発明に係る編機の下部ニードルシリンダ１の軸スロット２に配置されたスライダ３、接続要素４及びセレクタ５は、以下に説明され、この説明は、好ましくは上部ニードルシリンダ42の軸スロット43に配置されたスライダ3'、接続要素4’及びセレクタ5'にも適用されるが、要素3',4',5'の位置が要素3,4,5 の位置に対して反転しており、スライダ３が針６の下ヘッド6aと係合可能である一方、スライダ3'が針６の上ヘッド6a' と係合可能であるという事実を当然考慮に入れる。
【００４６】
スライダ３は、細長い薄板体を有し、針６の方に向いたその長手方向端部に隣接した、それ自体公知のように、針６の下ヘッド6aと係合可能な、フック状のタブ７によって構成された係合手段を含む。
【００４７】
スライダ３は、対応する軸スロット２の底部の方に向いた第１長手側部と、その反対側の長手方向側部に固定ヒール3aとを有し、固定ヒールは、スライダ３の第１長手側部に略直角に、つまり下部ニードルシリンダ１に対してラジアル方向に位置して、下部ニードルシリンダ１の側面からラジアル方向に突出しており、それによって下部ニードルシリンダ１の側面に面するスライダ作動カム８と係合する。
【００４８】
スライダ３は、その第１長手側部に、その下端部に隣接して、フック状のタブ７によって針６の下ヘッド6aと係合するか又は係合を外すために、下部ニードルシリンダ１のラジアル面でスライダを揺動可能にする傾斜部を有する。
【００４９】
接続要素４は、細長い薄板体を有し、スライダ３の、針６と係合可能な端部に対して反対側に位置する長手方向端部に接続されている。接続要素４は、下部ニードルシリンダ１の外部に向いたその側部に、少なくとも１つの移動可能なヒール4aを有する。
【００５０】
接続要素４は、移動可能なヒール4aが、接続要素作動カム９と係合するように対応する軸スロット２からラジアル方向に突出する作動位置から、移動可能なヒール4aが、接続要素作動カム９と係合しないように対応する軸スロット２に収容される非作動位置への、及びその逆への移動可能なヒール4aの移動を引き起こすために、スライダ３に対して下部ニードルシリンダ１のラジアル面で揺動可能である。
【００５１】
接続要素４は、好ましくは、その上部の長手方向端部によって、スライダ３の、針６と係合可能な端部に対して反対側に位置する下部の長手方向端部に枢支され、接続要素４が配置されるラジアル面に垂直な回転軸11回りに回転する。枢支は、好ましくは、軸スロット２の底部から離れたスライダ３の側部上に位置する突部12と、回転自在に前記突部12を収容し、接続要素４に形成された座部13とによって行なわれる。
【００５２】
このようにして、相互接続は、スライダ３と接続要素４との間に、スライダ３又は接続要素４と対応する作動カム8,9 との係合によって生み出された、軸スロット２に沿ったスライダ３及び接続要素４のスライド運動で確立される。
【００５３】
好都合なことに、接続要素４は、スライダ３に接続されたその端部に、下部ニードルシリンダ１の外部に向いてラジアル方向に突出する第２ヒール4bを有する。この第２ヒール4bは、軸スロット２の底部へ向けて押されることが可能で、それによってフック状のタブ７を有するその長手方向端部、つまり針６の方に向いた端部が、スライダが収容される下部ニードルシリンダ１の軸スロット２の底部から離れる揺動の方向の、スライダが位置する下部ニードルシリンダ１のラジアル面でのスライダ３の揺動を生み出して、スライダ３を針６の下ヘッド6aから外す。
【００５４】
セレクタ５も、細長い薄板体を有し、接続要素４に関してスライダ３に対する反対側に配置されている。
【００５５】
セレクタ５は、接続要素４と下部ニードルシリンダ１の軸スロット２の底部との間に、編機の動作の間に接続要素４が取り得る任意の位置で突出する部分14を有しており、それ故、セレクタ５によって常に接続要素４に作用することが可能である。
【００５６】
どちらの実施形態でも、セレクタ5,105 は、接続要素4,104 の移動可能なヒール4a,104a の非作動位置から作動位置への移動を生み出すように、接続要素4,104 の回転軸11,111 回りの揺動を引き起こすために、少なくとも１つの引抜き要素の動作を介して、下部ニードルシリンダ１又はニードルシリンダ101 のラジアル面で揺動可能である。
【００５７】
スロット2,102 の底部の方に向いたセレクタ5,105 の側部は、前記側部の残り部分に対して傾斜しており、実際セレクタ5,105 の前記揺動を可能にする部分15,115を有する。
【００５８】
セレクタ5,105 は、その反対側に、それが収容される軸スロット2,102 の底部と接続要素4,104 との間に介在するその一部分14,114から間隔を置いて配置されるその長手方向延長部の領域に、軸スロット2,102 の底部へ向けて押されることが可能な少なくとも１つの押圧可能領域16a,116a,16b,116b を有しており、それによって、セレクタ5,105 の前記揺動を引き起こし、結果的に、移動可能なヒール4a,104a の非作動位置から作動位置への移動を生み出す接続要素4,104 の揺動を引き起こす。
【００５９】
図示された実施形態では、２つの押圧可能領域があり、夫々、セレクタ5,105 の、スライダ３又は針106 の方に向いた端部の反対側に位置する長手方向端部に配置された押圧可能領域16a,116a、及び中間領域に配置された押圧可能領域16b,116bである。
【００６０】
押圧可能領域16b,116bは、編機に装備される様々なセレクタのために、セレクタ5,105 の長手方向に、異なる延長部を有することができるか又は異なって配置されることができ、前記押圧可能領域16b,116bの延長部に応じて、セレクタ5,105 での多様な作用を可能にする。
【００６１】
接続要素4,104 の移動可能なヒール4a,104a の非作動位置から作動位置への移動を引き起こすためにセレクタ5,105 に作用する引抜き要素は、少なくとも１つのプレッサ40を有し、プレッサは、ニードルシリンダ1,101 の側面に面し、セレクタ5,105 と係合可能であり、それによって接続要素4,104 の移動可能なヒール4a,104a の作動位置に相当する位置にセレクタの移動又は保持を引き起こす。
【００６２】
プレッサ40は、カムボックスに固定される、つまりカムボックスに固定して接続されることができるか、又は、セレクタ5,105 に干渉するようにプレッサがニードルシリンダ1,101 に近接して配置される作動位置から、セレクタ5,105 に干渉しないようにプレッサがニードルシリンダ1,101 から間隔を置いて配置される非作動化位置へと通過するために、ニードルシリンダ1,101 に対してラジアル方向に指令により移動可能である。
【００６３】
特に、図示された実施形態では、針選択装置に属する固定されたタイプの、例えばイタリア特許第IT 1312277号に記載されているタイプのプレッサ40があり、針毎の選択を可能にし、つまり編機の様々なセレクタを、特にニードルシリンダ1,101 の２つの隣接する軸スロット2,102 に配置された２つのセレクタ5,105 でさえ、互いに独立して作動させることができる。
【００６４】
前記選択装置は、ニードルシリンダ1,101 の各軸スロット2,102 毎にレバー41を有し、レバーは、略水平に配置されて、前記ニードルシリンダ1,101 に支持されて、ニードルシリンダ1,101 に対してラジアル方向に並進運動を行なうことができ、ニードルシリンダ1,101 のラジアル面で揺動可能である。
【００６５】
レバー41のラジアル方向の、つまりニードルシリンダ1,101 の軸1a,101a に対して接近又は離間する移動は、前記レバー41を介して、セレクタ5,105 の押圧可能領域16a,116aに作用する又は作用しないために用いられる一方、レバー41がラジアル面で揺動する能力は、レバーが、プレッサ40のレベルで、プレッサと係合するようにニードルシリンダ1,101 に対して反対方向に向いた、そのアバットメント側部の内の１つを有する作動位置から、レバーが、プレッサと係合しないように前記アバットメント側部がプレッサ40の下方に配置された非作動位置への、及びその逆へのレバー41の移動を生み出すために用いられる。
【００６６】
作動位置でのレバー41のプレッサ40との係合は、ニードルシリンダ1,101 の軸1a,101a の方に向かう前記レバー41の並進運動を引き起こす。この並進運動の結果として、レバー41は、対応するセレクタ5,105 の押圧可能領域16a,116aに作用して、ニードルシリンダ1,101 のラジアル面で揺動することにより、セレクタの一部分14,114によって、接続要素4,104 の揺動を引き起こし、接続要素の移動可能なヒール4a,104a で非作動位置から作動位置に通過する。
【００６７】
プレッサ40は、前記プレッサ40に対するニードルシリンダ1,101 の自軸1a,101a 回りの回転方向にニードルシリンダ1,101 の側面に徐々に接近する始めのガイド部分で形作られ、過度の衝撃又は応力を回避して、レバー41のプレッサ40との徐々の係合を達成する。
【００６８】
プレッサ40の代案又は付加物として、セレクタ5,105 の領域16b,116bと直接接触することができる他のプレッサを備えることが可能である。
【００６９】
この場合、例えば２つの異なる高さレベルに配置された領域16b,116bを夫々有する２つのタイプのセレクタを備えて、２つのプレッサをこれらの領域の高さレベルに相当する高さレベルで配置することにより、１つのタイプのセレクタ、又は他のタイプのセレクタ、又は両方のタイプのセレクタに多様な方法で作用することが可能である。
【００７０】
代案として、少なくとも１つのプレッサを有する公知のタイプの別の種類の選択装置を備えることが可能であり、プレッサは、プレッサがセレクタ5,105 に干渉して、それらの揺動を引き起こし、それ故、接続要素4,104 の移動可能なヒール4a,104a の非作動位置から作動位置への移動を引き起こす作動位置から、プレッサがセレクタ5,105 に干渉しない非作動化位置に通過するために、ニードルシリンダ1,101 に対して指令により移動可能である。
【００７１】
プレッサ40、更に一般的には、必要に応じて、接続要素4,104 の移動可能なヒール4a,104a の非作動位置から作動位置への移動を引き起こすようにセレクタ5,105 に作用することができる選択装置があるニードルシリンダ1,101 の周りの領域は、選択点として以下に参照される。
【００７２】
図示された第２実施形態では、下部ニードルシリンダ１に関して５つの選択点があり、各選択点には選択装置又はプレッサがあり、夫々、選択点21は、ニードルシリンダの自軸回りの回転の一方向に、編機の、その位置が線A によって示されたフィード又はドロップの直ぐ上流側に配置され、ニードルシリンダが矢印35によって示された回転の前記方向に作動させられるとき、前記フィードA で編成する必要がある針を選択するために用いられ、選択点22は、ニードルシリンダの自軸回りの回転の反対方向に編機のフィードA の直ぐ上流側に配置され、ニードルシリンダが矢印36によって示された回転の前記反対方向に作動されるとき、前記フィードA で編成する必要がある針を選択するために用いられ、選択点23は、１つのニードルシリンダから別のニードルシリンダへの針の移動の間に用いられ、２つの追加の選択点24,25 がある。
【００７３】
上述されたように、スライダ3'、接続要素4'及びセレクタ5'は、好ましくは下部ニードルシリンダ１に関して説明されたスライダ３、接続要素４及びセレクタ５と同様に備えられ、上部ニードルシリンダ42の各軸スロットに同様に配置される。スライダ３、接続要素４及びセレクタ５に関して既に説明された部分に相当するスライダ3'、接続要素4'及びセレクタ5'の部分は、同一の参照番号によって示されている。
【００７４】
上部ニードルシリンダ42に、上述された要素と同様に、更に選択装置又はプレッサを備えることが可能であり、任意には、針が上部ニードルシリンダ42にあるときの針を選択する必要性が一般にそれほど頻繁ではないという事実を考慮して、より少ない数の選択装置又はプレッサを備えることが可能であり、選択装置又はプレッサは、上部ニードルシリンダ42に配置されたセレクタ5'に作用するために、上部ニードルシリンダ42の側面に面する。特に、選択点21と同様の選択点を備えることが可能であり、この選択点は、ニードルシリンダ1,42の自軸1a回りの回転35の方向に編機のフィードA の直ぐ上流側に配置されて、ニードルシリンダ1,42が回転35の前記方向に作動されるとき、前記フィードA で上部ニードルシリンダ42で編成する必要がある針６を選択するために用いられ、更に、２つの追加の選択点24,25 と同様の選択点を備えることが可能である。
【００７５】
下部ニードルシリンダ１に関して説明された要素と同様に、上部ニードルシリンダ42に配置されたスライダ3'及び接続要素4'のためのスライダ作動カム8'及び接続要素作動カム9'があり、前記カムは上部ニードルシリンダ42の側面の周りに配置されている。
【００７６】
スライダ作動カム8,8'及び接続要素作動カム9,9'は、編機の針６の作動要素10,10'のための一組の作動カムを構成し、スライダ3,3'のヒール3aによって係合されることが可能で、作動位置で接続要素4,4'の移動可能なヒール4aによって係合されることが可能な経路を定める。これらの経路は、スライダ3,3'及びスライダと係合する接続要素4,4'の、それらが収容される対応するニードルシリンダの軸スロットに沿った、スライド移動を引き起こすように形作られる。このスライド移動は、針６による編地の形成、及び、例えば、針６の下部ニードルシリンダ１から上部ニードルシリンダ42への、及びその逆への移動、又は、ニードルシリンダが一組のカムに対して自軸回りの回転動作で作動されるとき、スライダが係合する針６に対して、非作動状態又は「休止(off work)」状態にスライダ3,3'を維持する等の編機の他の操作状態のために必要とされる。
【００７７】
尚、図示された実施形態では、本発明に係る編機の一組のカムは、固定カムのみから構成されている。
【００７８】
図５乃至９は、フィード又はドロップA に隣接した、本発明に係る編機の一組のカムの可能な実施形態の一部を示し、フィード又はドロップでは、針６が、下部ニードルシリンダ１に配置された場合、一組のカムに対する編機のニードルシリンダの自軸回りの回転35の方向及び回転36の反対方向での動作の両方の間、編地を形成することができる。
【００７９】
表現の単純化のために、編機が、前記フィードA のみ有していると仮定するが、編機が、条件に応じて、少なくとも一回転方向でのニードルシリンダの自軸回りの回転の間、編地を形成するために用いられることができる多数のフィード又はドロップを有することができるという事実に変わりはない。
【００８０】
前記フィードA では、下部ニードルシリンダ１のスライダ８の作動カムとして、センターカム26、センター補足カム47、引抜き（又は上げ）カム28、ニードルシリンダの一方向の回転動作におけるノックオーバーカム29、引抜き（又は上げ）カム30、及びニードルシリンダの反対方向の回転動作におけるノックオーバーカム31が示されている。
【００８１】
引抜き（又は下げ）カム28' 及びノックオーバーカム29' は、上部ニードルシリンダのスライダ作動カム8'間に示されている。
【００８２】
下部ニードルシリンダ１の接続要素作動カム９間には、引抜きカム28とセンターカム26との間に配置された引込み（又は下げ）カム32があり、引抜きカム30とセンターカム26との間に配置された引込み（又は下げ）カム33があり、編地の形成の間、接続要素４と、ひいては針６を作動させるために用いられる。図示された実施形態では、引込みカム32,33 は一体に形成されているが、個別のカムとして備えられてもよい。
【００８３】
上部ニードルシリンダの接続要素作動カム9'間には、引抜きカム28' とノックオーバーカム29' との間に配置された引込みカム34と、引抜きカム68とがあり、前記カムは、編地の形成の間、接続要素4’と、ひいては針６を作動させるために用いられる。
【００８４】
尚、引抜きカム28,28'は、ニードルシリンダの回転35の方向での動作の間、スライダ3,3'の固定ヒール3aによって常に係合可能であり、同様に、引抜きカム30は、引抜かれる休止位置での対応する針６の移動を生み出すために、回転36の反対方向でのニードルシリンダの動作の間、スライダ３の固定ヒール3aによって常に係合可能であり、一方、引込みカム32,34 は、ニードルシリンダの回転35の方向の回転動作の間、引込みカム33は、ニードルシリンダの回転36の方向での動作の間、作動位置で移動可能なヒール4aによってのみ係合可能であり、それによって、以下に明らかになるように、スライダ3 又は3'をその固定ヒールでノックオーバーカム29又は29' 又は31と係合するようなレベルに運び、編地の新たなループを形成するために、編地の以前形成されたループを下げながら、対応する針６を、引抜かれる休止位置から引込まれる位置へ移動させる。
【００８５】
スライダ作動カム8,8'及び接続要素作動カム9,9'に加えて、カムボックスには、スライダ作動カム8,8'の領域にはプレッサ53,54,57,60 があり、接続要素作動カム9,9'の領域にはプレッサ61,62,63,64,65,66,67があり、スライダ作動カム8,8'と接続要素作動カム9,9'との間の中間領域にはプレッサ55,58 があり、それらは、ニードルシリンダのラジアル面でのそれらの揺動を引き起こすために、スライダ3,3'及び接続要素4,4'に夫々作用することができ、その機能は以下に明白となる。
【００８６】
これらのプレッサは、固定されている、つまりカムボックス又は支持体に固定して接続されているので、それらの操作のために何のアクチュエータも必要としない。
【００８７】
接続要素作動カム9,9'間には、１つのニードルシリンダから別のニードルシリンダに針６を移動させるために、接続要素4,4'と、ひいてはスライダ3,3'を作動させることを主として意図されたカムがある。
【００８８】
特に、スライダ3'の対応する針６と係合するための位置への下げを引き起こすように、上部ニードルシリンダに配置された接続要素4'によって係合可能な上部固定下げカム51と、対応する針６の係合に相当する位置にスライダ３を上げるために、接続要素４によって係合可能な下部上げカム52とが備えられている。
【００８９】
上部固定下げカム51及び下部固定上げカム52は、カムボックスに対するニードルシリンダの自軸回りの回転35の方向に選択点23の上流側に配置されている。
【００９０】
この回転35の方向に、上部固定下げカム51及び下部固定上げカム52の直ぐ下流側の、前記カムと選択点23との間に、夫々上部閉鎖プレッサ53及び下部閉鎖プレッサ54であるプレッサがあり、スライダ3'及びスライダ３は、対応する針６の上ヘッド6a'及び下ヘッド6aと係合可能なそれらの端部で、スライダが対応する軸スロット２の底部から離れる方向に揺動する状態で、プレッサに対して夫々係合する可能性がある。
【００９１】
選択装置23と略一列に並んで、上部開口プレッサ55があり、上部開口プレッサは、上部ニードルシリンダの側面に面し、上部ニードルシリンダに配置された接続要素4'のヒール4bと係合可能であり、それによってスライダ3'の揺動を引き起こして、対応する針６の方に向いたそれらの端部を、対応する軸スロット２の底部から離れさせる。
【００９２】
この場合も、矢印35によって示された回転方向の選択点23の直ぐ下流側に、下部固定下げカム56が下部ニードルシリンダ１の側面に面し、下部固定下げカムは、下部ニードルシリンダ１に配置され、前記選択装置23によって作動位置にそれらの移動可能なヒール4aで移動した接続要素４によってのみ係合可能である。
【００９３】
下部固定下げカム56の回転35の方向への始動直後、上部閉鎖プレッサ57が上部ニードルシリンダの側面に面し、上部閉鎖プレッサは、上部ニードルシリンダに配置されたスライダ3'と係合可能であり、それによってスライダ3'の揺動を引き起こして、対応する針６の方を向いたそれらの端部を、対応する軸スロット２の底部に向けて移動させる。
【００９４】
下部固定下げカム56の回転35の方向への始動後、下部開口プレッサ58が下部ニードルシリンダの側面に面し、下部開口プレッサは、下部ニードルシリンダに配置され、非作動位置にそれらの移動可能なヒール4aを有している、つまり下部固定下げカム56と係合しない接続要素４のヒール4bによってのみ係合可能である。下部開口プレッサ58は、対応する針６の方を向いたそれらの端部を、対応する軸スロット２の底部から離れる方向に移動させるために、下部開口プレッサと係合するスライダ３の揺動を引き起こすことが意図されている。
【００９５】
最後に、下部開口プレッサ58の回転35の方向への下流側に、上部固定上げカム59が上部ニードルシリンダ42の側面に面し、上部固定上げカムは、上部ニードルシリンダに配置された接続要素4'のヒール4aによって係合可能であり、下部閉鎖プレッサ60が下部ニードルシリンダの側面に面し、下部閉鎖プレッサは、スライダ３によって係合可能であり、それによって下部開口プレッサ58が作用したスライダ３を、針６の方に向いたそれらの端部が対応する軸スロット２の底部に近接する位置に戻す。
【００９６】
編機のフィード又はドロップに少なくとも隣接した、第１実施形態の編機の一組のカムは、好ましくは、ニードルシリンダ101 の自軸101a回りの回転35の一方向での回転の間、及びニードルシリンダ101 の自軸101a回りの回転36の反対方向での回転の間の両方で、針106 を供給することができ、同様に、図４乃至７に破線150 によって画定されたスライダ作動カム８及び接続要素作動カム９の部分に、対応する選択点21,22 と、プレッサ62,63 とを備えることができる。
【００９７】
どちらの実施形態でも、接続要素作動カムに属する引抜きカム及び引込みカム又は上げカム及び下げカムは、ニードルシリンダ1,42,101の軸1a,101a に垂直な理想面に対して傾斜した外形であり、作動位置で移動可能なヒール4a,4a',104a によって係合可能な部分を有しており、上述された一又は複数のカムのこの傾斜部分に位置付けられた選択点に配置され、プレッサ40又は別のプレッサによって構成された引抜き要素は、セレクタ5,5',105によって、接続要素4,4',104に作用して、それによって、それが配置される対応する引抜きカム又は引込みカム又は上げカム又は下げカムの傾斜部分の延長部の略全体に亘って移動可能なヒール4a,4a',104a を作動位置に維持する。
【００９８】
この事実により、本発明に係る編機は、ニードルシリンダ又はシリンダの自軸回りの回転動作の動作速度が高い状態及び／又は振動がある状態でさえ、高精度な針の動作を保証する。
【００９９】
本発明に係る第２実施形態の編機の操作を、以下に示す。
【０１００】
図５乃至９は、スライダ3,3'及びそれに関連した接続要素4,4'のヒール3a,4a,4b がたどる経路を示す。
【０１０１】
接続要素4,4'のヒール4aの作動位置と非作動位置とを区別するために、作動位置でのヒール4aは陰をつけて、非作動位置でのヒールは陰をつけていない。
【０１０２】
通常又はより一般に用いられる、カムボックスに対するニードルシリンダの自軸回りの回転35の方向では、下部ニードルシリンダ１でスライダ３と係合された針６が、考慮対象のフィードA で編地を形成する必要がないとき、選択点21に配置された選択装置又はプレッサは、プレッサ62が、作動位置にあるかもしれない接続要素４のヒール4aを非作動位置に移動させた後は、セレクタ５に作用しない。この事実の結果として、接続要素４は、そのヒール4aで引込みカム32と係合せず、それ故、スライダ３は、その固定ヒール3aで引抜きカム28と係合した後は、もはや下げられず、センターカム26の上を通過する。それ故、針６は、図５に示されるように、休止位置で上げられたままであり、考慮対象のフィードA で供給される糸と係合しない。
【０１０３】
休止位置では、針６は、もし編成する場合、針がフィードA で供給される糸と係合する位置、又はわずかに更に上昇した位置で、その上端6aでニードルシリンダ１から上方に引抜かれ、その結果、以前に針６によって形成された編地の任意のループがラッチより下の針６のシャンク(shank) に位置する。
【０１０４】
尚、選択装置の操作を妨げ、実行中のプログラムをリセットする編機の電源供給の不測の中断があっても、この状況が生じる。この場合、接続要素があるかもしれないその経路のいずれの点でも、選択装置の介入に失敗すると、選択装置が作動位置にそのヒール4aを有する場合、それがプレッサに出会うとすぐに、接続要素４のヒール4aが非作動位置に移動されるので、選択装置の介入の失敗が、編機へのどんな損傷も引き起こさず、それ故、考慮対象のフィードA では、スライダ３はそのヒール3aがセンターカム26の上を通過し、選択装置の操作を回復した後でなければ、もはや下げられない。
【０１０５】
針が上部ニードルシリンダ42にあり、スライダ3'と係合するとき、説明された操作と同様の操作が、針６に関して生じる。図５は、更にスライダ3'の固定ヒール3a及び接続要素4'のヒール4a,4b の経路を示し、それは、上部ニードルシリンダ42に配置され、考慮対象のフィードA で編成するために移動してはならない針６に対応する。
【０１０６】
針６が、下部ニードルシリンダ１で、考慮対象のフィードA で編地を形成する必要があるとき、ニードルシリンダがカムボックスに対して回転35の方向に自軸回りの回転動作で作動されて、任意にはその移動可能なヒール4aが作動位置にあってもよい対応する接続要素４が、非作動位置でその移動可能なヒール4aの安全な通行を生み出すプレッサ62を通過した後、接続要素は、選択点21に配置された選択装置又はプレッサの介入によってヒール4aが作動位置に戻される。
【０１０７】
この事実の結果として、スライダ３は、引抜きカム28との係合によって上げられた後、ヒール4aの引込みカム32との係合の結果として下げられる。この理由により、スライダ３のヒール3aは、図６に示されるように、センターカム26と、ひいてはノックオーバーカム29と係合する。対応する針６は、考慮対象のフィードA で供給される糸と係合し、以前に形成された編地のループを下げて、編地の新たなループを形成する。
【０１０８】
代わりに、作動位置にその移動可能なヒール4aを有する対応する接続要素4'が、その移動可能なヒール4aの非作動位置への安全な通行を引き起こしたプレッサ65を通過した後、上部ニードルシリンダ42でスライダ3'と係合された針６が考慮対象のフィードA で編成する必要があるとき、それは、上部ニードルシリンダ42の側面に面し、選択点21に配置された選択装置又はプレッサと同様の選択装置又はプレッサの介入によって、そのヒール4aが作動位置へ戻される。
【０１０９】
この事実の結果として、スライダ3'は、引抜きカム28'との係合によって下げられた後、ヒール4aの引込みカム34との係合により上げられる。この理由により、スライダ3'のヒール3aはノックオーバーカム29' と係合する。
【０１１０】
図６は、更にスライダ3'のヒール3a及び接続要素4'のヒール4a,4b の経路を示し、それは、上部ニードルシリンダ42に配置され、考慮対象のフィードA で編成するために移動される必要がある針６に対応する。
【０１１１】
ニードルシリンダが通常の方向に対して反対の回転36の方向に自軸回りの回転動作で作動される間に、下部ニードルシリンダ１に配置された針６が編地を形成する必要があるとき、作動位置にそのヒール4aを有する対応する接続要素４が、非作動位置へのヒール4aの安全な移動をもたらしたプレッサ63を通過した後、接続要素は、選択点22に配置された選択装置又はプレッサの介入によってヒール4aが作動位置に戻される。
【０１１２】
この事実の結果として、スライダ３は、そのヒール3aの引抜きカム30との係合によって上げられた後、ヒール4aの引込みカム33との係合により下げられる。この理由により、スライダのヒール3aは、図７に示されるように、センターカム26と、ひいてはノックオーバーカム31と係合する。対応する針６は、考慮対象のフィードA で供給される糸と係合し、以前に形成された編地のループを下げて、編地の新たなループを形成する。
【０１１３】
考慮対象のフィードA では、考慮対象のフィードA での通過の間にタック編を形成する必要がある針の休止位置への移動を引き起こすことにより、代わりに、次の通過の間、ニードルシリンダの回転方向に応じてノックオーバーカム29又は31と対応するスライダ３のヒール3aとの係合を引き起こすだけでタック編を生み出すことも可能である。第１の通過の間、以前に形成された編地のループは、ラッチより下の針６のシャンク(shank) に配置される一方、編地の別のループは針６のシャンク(shank) に位置する。第２の通過の間、針６は編地の新たなループを形成し、該ループは同時に下げられた編地の前記２つのループと共に編成される。
【０１１４】
このように、ひとつのフィード又はドロップでも、タック編の編成を行なうことが可能である。
【０１１５】
選択装置21,22 によって、従来のタイプの編機では通常ハンマー(hammers) 又はピッカー(pickers) 及びフラップ(flaps) として公知の装置を用いて得られる編成を行なって、考慮対象のフィードで編成のために移動される針を徐々に低減したり徐々に増加させたりすることも可能であり、そのような装置を用いる必要がなくなる。
【０１１６】
針６を１つのニードルシリンダから別のニードルシリンダに移すことが必要であるとき、移す操作は選択点25及び上部ニードルシリンダ42に面する対応する選択点に配置された選択装置を介して始められ、図８及び９に示されるように、ニードルシリンダが回転35の方向への回転動作で作動される間、下部ニードルシリンダ１及び上部ニードルシリンダ42に配置された接続要素4,4'を全て、それらのヒール4aが作動位置にあるように移動させる。
【０１１７】
それ故、下部ニードルシリンダ１に配置された接続要素４は、それらのヒール4aで下部固定上げカム52と係合し、上部ニードルシリンダ42に配置された接続要素4'は、それらのヒール4aで上部固定下げカム51と係合する。接続要素4,4'のこれらのカム51,52 との係合は、上部ニードルシリンダ42及び下部ニードルシリンダ１に配置されたスライダ3,3'の相互の接近を引き起こし、針６の対応するヘッド6a,6a'でのそれらの長手方向端部のフック状のタブ７との重なりを引き起こす。この理由により、対応する針６と以前係合されなかったスライダ3,3'は、フック状のタブ７の特定の形状、及び針６の対応するヘッド6a,6a'でのそれらのスライド移動の結果として、フック状のタブ７をスライダ3,3'が収容される対応する軸スロット２の底部から離れさせる、ラジアル面での揺動を受ける。続いて、この揺動を受けたスライダは、下部閉鎖プレッサ54又は上部閉鎖プレッサ53と係合して、スライダ3,3'の反対方向への揺動を引き起こし、それらと針の対応するヘッド6a,6a'との係合を引き起こす。このように、針６は、スライダ３及びスライダ3'によって同時に係合される。
【０１１８】
この時点で、選択点23に配置された選択装置又はプレッサによって、下部ニードルシリンダ１から上部ニードルシリンダ42に針６を移す必要がある接続要素４が選択される。選択点23の直前に、プレッサ61は、下部ニードルシリンダ１に配置された接続要素４のヒール4aの非作動位置への移動を引き起こす。選択装置23は、下部ニードルシリンダ１に配置され、対応する針６と引き続き係合される必要があるスライダ３に接続された接続要素４に作用して、それによって下部ニードルシリンダ１での編成のために前記針６を移動して、それらのヒール4aの非作動位置から作動位置への移動を引き起こす。
【０１１９】
この選択操作と略同時に、上部ニードルシリンダ42に配置されたスライダ3'は上部開口プレッサ55の動作を受け、これによりフック状のタブ７が対応する軸スロット２の底部から離れる方向に上部ニードルシリンダ42に配置された全てのスライダ3'の揺動を引き起こす。
【０１２０】
それ故、作動位置に移動された、下部ニードルシリンダ１に配置された接続要素４のヒール4aは、下部固定下げカム56と係合して、ヒールの下げと、ひいては、それらと係合される針６の下部ニードルシリンダ１でのエントレインメント(entrainment) を引き起こす。この下方への移動が始まるとすぐに、図８に示されるように、上部ニードルシリンダ42に配置されたスライダ3'は上部閉鎖プレッサ57に出会い、それらの係合タブ７を対応する軸スロット２の底部に向けて移動させる方向にスライダ3'の揺動を引き起こす。この揺動は、対応する接続要素４の下部固定下げカム56との係合の結果として、その間に下部ニードルシリンダ１への下がりが始まった針に影響がなく、代わりに、スライダ3'のフック状のタブ７の対応する針との新たな係合を決定し、それは代わりに、それらのヒールで下部固定下げカム56と係合せず、下部ニードルシリンダ１に配置されたスライダ３によって係合される。
【０１２１】
それ故、下部固定下げカム56と係合しなかったスライダ３は、下部開口プレッサ58に出会い、フック状のタブ７を対応する軸スロット２の底部から離れさせる方向にそれらの揺動を引き起こし、これらのスライダ３の対応する針６の下ヘッド6aからの離脱を引き起こす。
【０１２２】
それ故、図９に示されるように、上部ニードルシリンダ42に配置された接続要素4'は、上部固定上げカム59とそれらのヒール4aで係合して、それらの上方移動と、ひいては、下部ニードルシリンダ１に配置されたスライダ３から外された対応する針の上部ニードルシリンダ42への上方移動を引き起こす。
【０１２３】
この時点で、針の１つのニードルシリンダから別のニードルシリンダへの移動は完了し、下部ニードルシリンダ１に配置され、ヒール4bを下部開口プレッサ58と係合させた接続要素４に接続されたスライダ３は、下部ニードルシリンダ１の側面に面する別の下部閉鎖プレッサ60との係合により反対方向に再び揺動させられる。
【０１２４】
第１実施形態での編機の操作は、編地の非形成、及び図５乃至７に示されたものを参照して第２実施形態の編機における下部ニードルシリンダ101 に配置された針での編地の形成に関して説明された操作と同様であり、作動カム８が、スライダ３の固定ヒール3aのための経路を定める代わりに、針106 の固定ヒール103aのための経路を定める点が異なる。
【０１２５】
実際、ニードルシリンダ又はシリンダの周りに配置された一組のカムにおいて移動可能なカムを減らすか又は除去することさえ可能であるので、本発明に係る編機は意図した目的を完全に達成しながら、従来のタイプの靴下類のための円形編機で現在行われることができる、ほとんど全ての種類の編成を実行することが可能であることが分かった。
【０１２６】
本発明に係る編機の更なる利点は、操作速度が速く、振動がある状態であっても正確な動作を保証することである。
【０１２７】
このように考案された編機は、その全ては添付した請求項の範囲内にある多くの修正及び変更を加えることができ、また細部の全ては、更に他の技術的に等価な要素に置き換えてもよい。
【０１２８】
実際には、用いられる材料並びに寸法は、要件及び技術の状態に応じて如何なるものであってもよい。
【０１２９】
本出願が優先権を主張しているイタリア特許出願第MI2006A000628 号及びイタリア特許出願第MI2006A001378 号での開示内容は、参照してここに盛り込まれる。
【０１３０】
任意の請求項の範囲に述べられている技術的特徴の後には参照番号が続いているが、これらの参照番号は請求項の範囲の理解度を高めるためだけに含まれているものであり、従って、このような参照番号は、このような参照番号により一例として識別される各要素の解釈をいかなる形においても限定するものではない。
【図面の簡単な説明】
【０１３１】
【図１】靴下類等のためのシングルシリンダ円形編機によって構成された、本発明に係る編機の第１実施形態を示し、非作動位置での接続要素の移動可能なヒールと共に編機のニードルシリンダの一部を示す軸方向概略断面図である。
【図２】靴下類等のためのシングルシリンダ円形編機によって構成された、本発明に係る編機の第１実施形態を示し、作動位置での接続要素の移動可能なヒールと共に編機のニードルシリンダの一部を示す、図１と同様の概略断面図である。
【図３】靴下類等のためのダブルシリンダ円形編機によって構成された、本発明に係る編機の第２実施形態を示し、非作動位置での接続要素の移動可能なヒールと共に編機のニードルシリンダの一部を示す軸方向概略断面図である。
【図４】靴下類等のためのダブルシリンダ円形編機によって構成された、本発明に係る編機の第２実施形態を示し、作動位置での接続要素の移動可能なヒールと共に編機のニードルシリンダの一部を示す、図３と同様の概略断面図である。
【図５】靴下類等のためのダブルシリンダ円形編機によって構成された、本発明に係る編機の第２実施形態を示し、対応する針が編成から除外される必要があるとき、針の作動要素のヒールがたどる経路を表し、ニードルシリンダの方に向いたその側部から見た投影面であり、針作動要素の一組の作動カムの可能な実施形態を示す図である。
【図６】靴下類等のためのダブルシリンダ円形編機によって構成された、本発明に係る編機の第２実施形態を示し、対応する針がフィード又はドロップで編地を形成する必要があるとき、針の作動要素のヒールがたどる経路を表し、図５と同様に、針作動要素の一組の作動カムを示す図である。
【図７】靴下類等のためのダブルシリンダ円形編機によって構成された、本発明に係る編機の第２実施形態を示し、対応する針が、図６の一方向の反対である回転方向でのニードルシリンダの作動と共にフィード又はドロップで編地を形成する必要があるとき、針の作動要素のヒールがたどる経路を表し、図５と同様に、針作動要素の一組の作動カムを示す図である。
【図８】靴下類等のためのダブルシリンダ円形編機によって構成された、本発明に係る編機の第２実施形態を示し、針の上部ニードルシリンダから下部ニードルシリンダへの移動の間、針の作動要素のヒールがたどる経路を表し、図５と同様に、針作動要素の一組の作動カムを示す図である。
【図９】靴下類等のためのダブルシリンダ円形編機によって構成された、本発明に係る編機の第２実施形態を示し、針の下部ニードルシリンダから上部ニードルシリンダへの移動の間、針の作動要素のヒールがたどる経路を表し、図５と同様に、針作動要素の一組の作動カムを示す図である。
【図１】
2009531557.tif 000003
【図２】
2009531557.tif 000004
【図３】
2009531557.tif 000005
【図４】
2009531557.tif 000006
【図５】
2009531557.tif 000007
【図６】
2009531557.tif 000008
【図７】
2009531557.tif 000009
【図８】
2009531557.tif 000010
【図９】
2009531557.tif 000011
【国際調査報告】
2009531557.tif 000012
2009531557.tif 000013